(57)【特許請求の範囲】
【請求項１】
複数の発光体を発光させる発光玩具において、
透過性を有したケース部と、
前記ケース部の下端に設けられ、手でつかむための保持部と、
前記保持部の内部に設けられ、前記発光玩具に動力を供給する電源部と、
前記電源部と接続し、前記保持部の内部に設けられる中心モーターと、
前記中心モーターに接続し、該中心モーターによって回転する中心軸と、
前記中心軸の上端に接続し、前記ケース部の内部に設けられる、空洞を有する中心体と、
前記中心体の内部に設けられ、前記発光体の発光条件を制御する中心制御部と、
前記中心体に設けられ、前記電源部から動力の供給を受ける付随モーターと、
前記付随モーターと接続し、該付随モーターによって回転し、前記中心軸に対して略垂直方向に設けられた付随軸と、
前記付随軸を胴体の中心に接続させ、前記中心体が有する空洞に設けられる、前記中心軸の延長線上に設けられた、前記複数の発光体を有する付随体と、
前記複数の発光体は、前記付随体の胴体の中心から等距離かつ円周上に等間隔に配置された少なくとも３つの発光体であることを特徴とする発光玩具。
【請求項２】
前記付随体は、更に、
前記付随体が備える複数の発光体の発光条件を制御する付随制御部を備えることを特徴とする請求項１記載の発光玩具。
【請求項３】
前記発光条件は、
前記発光体の点滅のタイミング、点滅速度および点滅色の少なくとも１つであることを特徴とする請求項１から２いずれか１項記載の発光玩具。
【請求項４】
前記中心制御部は、
前記中心モーターの回転速度を制御することを特徴とする請求項１から３いずれか１項記載の発光玩具。
【請求項５】
前記付随制御部は、
前記付随モーターの回転速度を制御することを特徴とする請求項２記載の発光玩具。
【請求項６】
前記中心モーターは、更に、前記電源部と接続する導線を備え、
前記導線は、前記中心体の内部に設けられることを特徴とする請求項１から５いずれか１項記載の発光玩具。
【請求項７】
前記付随モーターは、更に
前記中心モーターと接続する導線を備え、該中心モーターを介して前記電源部から電力の供給を受けるものであって、
前記導線は、前記中心体及び前記付随体の内部に設けられることを特徴とする請求項１から６いずれか１項記載の発光玩具。
【請求項８】
前記付随体は、中心体の外周上に設けられることを特徴とする請求項１から７いずれか１項記載の発光玩具。
【発明の詳細な説明】
【技術分野】
【０００１】
本発明は、複数の発光体を備えた発光玩具に関するものである。
【背景技術】
【０００２】
イベント・祝祭行事などにおいて、ペンライトや、照明など光を用いて演出効果を高めるものや、光によって興味を引き立てる玩具などが多く流通している。
【０００３】
近年の発光玩具に関する技術が、特許文献１及び特許文献２に提案されている。
【０００４】
特許文献１には、可撓性の低い長寸の透光性管状体に長寸棒状の化学発光体を挿脱可能に設け、用途に応じた剛性の高い棒状発光体としたことにより、鮮明に発色する長尺の棒状発光体を強く揺動させた場合にも折れ曲がる心配なく、長尺の棒状発光体として従来の化学発光体とは異なる発光体効果をイベント会場などで楽しむことができる発光玩具に関する技術が開示されている。
【０００５】
特許文献２には、把持部から延出したシャフトの先端域に発光明滅部を備え、かつ該明滅部を内側にして透光性の中空成形物を装着してなるイルミネーション玩具において、把持部と風船装着部の中間のシャフト適所を屈曲自在に構成したことを特徴とし、イルミネーションパターンを有する中空成形物を、直線状シャフトの先端で高く掲げたり、屈曲シャフトの先端で提灯のように吊り下げることができる発光玩具に関する技術が開示されている。
【先行技術文献】
【特許文献】
【０００６】
【特許文献１】特開２００３−０３１００１号公報
【特許文献２】特開平５−１３７８４８号公報
【発明の概要】
【発明が解決しようとする課題】
【０００７】
しかしながら、特許文献１及び２に記載の発光玩具は、発光のみの機能しか有さず、利用者を多様な方法で楽しませることができない。
【０００８】
さらに、特許文献１に記載されている発光玩具では、発光のパターンは単一である。また特許文献２に記載されている発光玩具では、点滅によっていくつかの発光パターンを提供可能であるが、そのバリエーションは極めて限定的である。
【０００９】
そこで、本発明は、上記事情に鑑み、複数の回転軸をもつことによって、複数方向の回転運動をし、さらに回転運動に付随して発光することで、発光体が発する光の軌跡によって、規則性を有した幾何学模様を描写可能な発光玩具を提供することを目的とするものである。
【課題を解決するための手段】
【００１０】
本発明は、複数の発光体を発光させる発光玩具において、透過性を有したケース部と、ケース部の下端に設けられ、手でつかむための保持部と、保持部の内部に設けられ、発光玩具に動力を供給する電源部と、電源部と接続し、保持部の内部に設けられる中心モーターと、中心モーターに接続し、該中心モーターによって回転する中心軸と、中心軸の上端に接続し、ケース部の内部に設けられる中心体と、中心体の内部に設けられ、発光体の発光条件を制御する中心制御部と、中心体に設けられ、電源部から動力の供給を受ける付随モーターと、付随モーターと接続し、付随モーターによって回転する付随軸と、付随軸と接続し、複数の発光体を有する付随体とを備えるものである。
【００１１】
「発光体」は、電源部からの動力供給を受け発光するものをいう。具体的には発光ダイオード等が挙げられる。発光体は各発光体が、単一の発光色に発光するものとしてもよいし、各発光体が複数の発光色に発光するものとしてもよい。
【００１２】
また、中心体は、発光体を備える構成としてもよい。
【００１３】
「ケース部」は、内部に中心体及び付随体を備え、中心体と付随体の回転運動を外から確認できるように透過性を有したものをいう。例えば、半透明のプラスチックやガラス等で構成されてもよい。また、ケース部は多面体としてもよいが、略球状や略立方体のように、なるべく辺が少ない形状の方が、望ましい。辺が少ない形状の方が、内部の回転運動を確認しやすいためである。
【００１４】
「保持部」は、利用者が発光玩具をつかむための部位をいう。保持部は、ストラップ等を装着できるような突起物を有してもよい。
【００１５】
「電源部」は、発光玩具の動力を供給するものをいう。具体的には、乾電池やボタン電池等が挙げられる。電源部は、前述の乾電池のように内部に電力を蓄えたものの方が望ましいが、例えばバッテリーのように、外部電源と接続し、電源の供給を受けるものとしてもよい。
【００１６】
「中心軸」は、中心体の回転運動の中心となる軸をいう。
【００１７】
「付随軸」は、付随体の回転運動の中心となる軸をいう。
【００１８】
「中心体」及び「付随体」は、軸を中心に回転運動をするものをいい、例えば、多面体や略球体のような立体構造としてもよいが、略円形や略多角形のような板状の構造の方が望ましい。板状の構造であっても回転運動することによって、回転体が描写でき、利用者に立体構造と錯視させることが可能なためである。
【００１９】
また、付随軸は、中心軸に対して略垂直方向に設けられる構成としてもよい。この場合、付随体は中心体の回転運動に対しての略垂直方向に回転運動を行う。
【００２０】
また、付随体は、更に、該付随体の内部に設けられ、該付随体が備える複数の発光体の発光条件を制御する付随制御部とを備えるものとしてもよい。
【００２１】
また、発光条件は、発光体の点滅のタイミング、点滅速度および点滅色の少なくとも１つとしてもよい。
【００２２】
「中心制御部」及び「付随制御部」は、制御回路を有したものをいい、具体的にはＣＰＵやＩＣチップ等の基板回路が挙げられる。
【００２３】
中心制御部は、中心モーターの回転速度を制御するものとし、また、付随制御部は、付随モーターの回転速度を制御するものとすることも可能である。
【００２４】
「中心モーター」及び「付随モーター」は、電源部から動力の供給を受け、接続する軸に回転運動を加えるものをいう。中心モーター及び付随モーターは外部からの制御を受け、回転運動の速度を変更可能なものとしてもよい。
【００２５】
中心モーターは、更に、電源部と接続する導線を備え、導線は、中心体の内部に設けられる構成とすることが望ましいが、導線は中心体の外部に設けるものとしてもよい。
【００２６】
また、付随モーターは、更に、中心モーターと接続する導線を備え、該中心モーターを介して電源部から電力の供給を受ける構成が望ましい。が、中心モーターを介さずに直接電源部と接続する構成をとることも可能である。更に、付随モーターが有する導線は、中心体及び付随体の内部に設けられる構成としてもよい。
【００２７】
本発明に係る発光玩具において、更に、付随体は、中心体の外周上に設けられる構成としてもよい。その他にも、中心体が、１以上の空洞を有する板であり、付随を、中心体が有する空洞の内部に設ける構成をとることも可能である。
【発明の効果】
【００２８】
本発明に係る、複数の発光体を発光させる発光玩具は、透過性を有したケース部と、ケース部の下端に設けられ、手でつかむための保持部と、保持部の内部に設けられ、発光玩具に動力を供給する電源部と、電源部と接続し、保持部の内部に設けられる中心モーターと、中心モーターに接続し、該中心モーターによって回転する中心軸と、中心軸の上端に接続し、ケース部の内部に設けられる中心体と、中心体の内部に設けられ、発光体の発光条件を制御する中心制御部と、中心体に設けられ、電源部から動力の供給を受ける付随モーターと、付随モーターと接続し、付随モーターによって回転する付随軸と、付随軸と接続し、複数の発光体を有する付随体とを備える際には、発光体が、中心体及び付随体の回転運動に付随して運動することによって、発光体の光の軌跡が、規則性を有した複雑な幾何学模様を描写可能になる。
【００２９】
また、付随軸は、中心軸に対して略垂直方向に設けられる際においては、付随体が備える発光体が発光する光によって、中心体の回転運動によって描かれる回転体に対して該回転体の回転方向と垂直方向の軌跡を描くことが可能になる。
【００３０】
また、発光条件が、発光体の点滅のタイミング、点滅速度および点滅色の少なくとも１つである際においては、光の軌跡によって描かれる幾何学模様のパターン数を大幅に増加させることが可能になる。
【００３１】
また、中心制御部が、中心モーターの回転速度を制御する際においては、中心体の回転速度を制御することが可能である。
【００３２】
さらに、付随制御部が、付随モーターの回転速度を制御する際においては、付随体の回転速度を制御することが可能である。
【００３３】
また、中心モーターは、更に電源部と接続する導線を備え、導線は、中心体の内部に設けられる際においては、該導線が中心体の回転によって巻き込まれることを防止することができる。
【００３４】
また、付随モーターは、更に、中心モーターと接続する導線を備え、該中心モーターを介して電源部から電力の供給を受けるものであって、導線は、中心体及び書いて付随体の内部に設けられる際においては、該導線が、中心体及び付随体の回転によって巻き込まれることを防止することができる。
【図面の簡単な説明】
【００３５】
【図１】本発明の第１の実施形態に係る発光玩具の外観を示す正面図
【図２】本発明の第１の実施形態に係る発光玩具の外観を示す側面図
【図３】本発明の第１の実施形態に係る発光玩具の外観を示す底面図
【図４】本発明の第１の実施形態に係る発光玩具の外観を示す上面図
【図５】本発明の第１の実施形態に係る発光玩具の内部を示す正面図
【図６】本発明の第１の実施形態に係る発光玩具の内部を示す側面図
【図７】本発明の第１の実施形態に係る発光玩具の断面図
【図８】本発明の第１の実施形態に係る発光玩具の正面の模式図
【図９】本発明の第１の実施形態に係る発光玩具の背面の模式図
【図１０】本発明の第１の実施形態に係る発光玩具の側面の模式図
【図１１】本発明の第１の実施形態に係る発光の状態図
【図１２】本発明の第２の実施形態に係る発光玩具の中心体及び付随体の模式図
【図１３】本発明の第３の実施形態に係る発光玩具の中心体及び付随体の模式図
【図１４】本発明の第４の実施形態に係る発光玩具の中心体及び付随体の模式図
【発明を実施するための形態】
【００３６】
［第１の実施形態］
以下、本発明の実施の形態を図１乃至図１１を用いて説明する。
【００３７】
本発明に係る、複数の発光体３０５を発光させる発光玩具１００は、透過性を有したケース部１０１と、ケース部１０１の下端に設けられ、手でつかむための保持部５０１と、保持部５０１の内部に設けられ、発光玩具１００に動力を供給する電源部４０１と、電源部４０１と接続し、保持部５０１の内部に設けられる中心モーター２０３と、中心モーター２０３に接続し、該中心モーター２０３によって回転する中心軸２０１と、中心軸２０１の上端に接続し、ケース部１０１の内部に設けられる中心体２０２と、中心体２０２の内部に設けられ、発光体３０５の発光条件を制御する中心制御部２０７と、中心体２０２に設けられ、電源部４０１から動力の供給を受ける付随モーター３０３と、付随モーター３０３と接続し、付随モーター３０３によって回転する付随軸３０１と、付随軸３０１と接続し、複数の発光体３０５を有する付随体３０２とを備える。また、付随体３０２は、中心体２０２上に設けられるものであってもよい。
【００３８】
発光体３０５は、電源部４０１からの動力供給を受け発光するものをいう。
発光体３０５は、発光体３０５は単一の発光色を備えるものとしてもよいし、複数の発光色に発光するものとしてもよい。
【００３９】
第１の実施形態においては、付随体３０２は、赤色発光ダイオードである発光体３０５ａ、緑色発光ダイオードである発光体３０５ｂ、青色発光ダイオードである発光体３０５ｃを備えている。
【００４０】
ケース部１０１は、内部に中心体２０２及び付随体３０２を備え、中心体２０２と付随体３０２の回転運動を外から確認できるように透過性を有したものをいう。
【００４１】
第１の実施形態においては、ケース部１０１は、半透明のプラスチックで構成され、略球状である。
【００４２】
他にも、ケース部１０１の素材として、ガラス等が挙げられる。また、ケース部１０１は多面体としてもよいが、略球状や略立方体のように、なるべく辺が少ない形状の方が、望ましい。辺が少ない形状の方が、内部の回転運動を確認しやすいためである。
【００４３】
保持部５０１は、利用者が発光玩具１００を保持する部位をいう。第１の実施形態において、保持部５０１はスイッチ５９０と、ストラップ留を備える。
【００４４】
電源部４０１は、発光玩具１００の動力を供給するものをいう。具体的には、乾電池やボタン電池等が挙げられる。電源部４０１は、前述の乾電池のように内部に電力を蓄えたものの方が望ましいが、例えばバッテリーのように、外部電源と接続し、電源の供給を受けるものとしてもよい。第１の実施形態においては、電源部４０１として単四の乾電池を３つ備えている。
【００４５】
中心軸２０１は、中心体２０２の回転運動の中心となる軸をいう。また、付随軸３０１は、付随体３０２の回転運動の中心となる軸をいう。
【００４６】
中心体２０２及び付随体３０２は、軸を中心に回転運動をするものをいい、例えば、多面体や略球体のような立体構造としてもよいが、略円形や略多角形のような板状の構造の方が望ましい。板状の構造であっても回転運動することによって、利用者に立体構造と錯視させることが可能なためである。
【００４７】
図１は、本発明に係る発光玩具１００の第１の実施形態の外観を示す正面図、図２は、本発明に係る発光玩具１００の第１の実施形態の外観を示す側面図、図３は本発明に係る発光玩具１００の第１の実施形態の外観を示す上面図、図４は本発明に係る発光玩具１００の第１の実施形態の外観を示す底面図である。
【００４８】
第１の実施形態において、ケース部１０１と保持部５０１は、ケース部１０１の下端で接続する。第１の実施形態においては、ケース部１０１は略半球状のものを２つ組み合わせた形状をしている。
【００４９】
また、保持部５０１は、第１の実施形態では、スイッチを備える。第１の実施形態においては、該スイッチを押下している間のみ、電源部４０１は発光玩具１００に電源を供給する。
【００５０】
図５、図６は、本発明に係る発光玩具１００の第１の実施形態のそれぞれ正面及び側面の断面図である。
【００５１】
第１の実施形態において、中心軸２０１、中心モーター２０３及び電源部４０１は保持部５０１の内部に設けられる。また、ケース部１０１の内部に、中心体２０２及び中心制御部２０７並びに、付随軸３０１、付随モーター３０３、付随制御部３０７及び付随体３０２が設けられている。
【００５２】
また、第１の実施形態において、中心体２０２の内部に付随モーター３０３及び付随軸３０１は設けられ、中心体２０２が備える空洞内に、付随体３０２が設置されている。更に、付随体３０２は発光体３０５ａ、発光体３０５ｂ及び発光体３０５ｃを備えている。
【００５３】
図７は、本発明に係る発光玩具１００の第１の実施形態の内部構造を示す図である。ケース部１０１は、ケース部１０１ａ及びケース部１０１ｂ、保持部５０１は保持部５０１ａ及び保持部５０１ｂのそれぞれ２つのパーツで構成される。
【００５４】
保持部５０１ａ及び保持部５０１ｂは、ネジ５５３、金具５１７、金具５１８及び金具５１９によって固定される。また、保持部５０１ｂは電源カバー４０２を備えており、外部から電源部４０１である乾電池の取り外しが可能な構造になっている。
【００５５】
また、電源部４０１は金具５１４、金具５１５及び金具５１６によって保持部５０１ｂに固定されており、中心モーター２０３は、金具５１６の上からネジ５５２によって固定される。
【００５６】
保持部５０１ａは空洞を有しており、該空洞にスイッチ５９０が設置されている。
スイッチ５９０は保持部５０１ａに金具５１２及び金具５１３の上からネジ５５１によって固定されている。
【００５７】
中心モーター２０３と中心軸２０１は、金具２１１、金具２１２及び金具２１３によって接続している。更に付随体３０２は金具３９１及び金具３９２によって中心体２０２に固定されている。
【００５８】
また、電源部４０１の動力は中心モーター２０３に供給された後、金具２１４によって再度電圧差を生じさせ、付随モーター３０３へと伝えられる。
【００５９】
図８は第１の実施形態における発光玩具１００の正面を模式的に表した図である。図８においては、保持部５０１が有するストラップ留にストラップ５７０が装着されている様子が描かれている。また、スイッチ５９０は保持部５０１の正面側に配置されている。更に第１の実施形態では、ケース部１０１の上部にパンダのマスコットが設置されている。
【００６０】
図９は第１の実施形態における発光玩具１００の背面を模式的に表した図である。図９のように電源カバー４０２を保持部５０１から外すことで、電源部４０１を外部から取り外し可能な構成になっている。
【００６１】
図１０は、第１の実施形態における発光玩具１００の側面を模式的に表した図である。第１の実施形態では、中心体２０２はパンダ型の板である。
【００６２】
また、付随軸３０１は、中心軸２０１に対して略垂直方向に設けられる構成としてもよい。この場合、付随体３０２は中心体２０２の回転運動に対しての略垂直方向に回転運動を行う。第１の実施形態では、中心軸２０１は鉛直方向に、付随軸３０１は水平方向に配置されている。
【００６３】
図１１は、付随軸３０１を中心軸２０１に対して垂直方向に設けたときの、発光体３０５の軌跡を表している。
【００６４】
付随体３０２は、水平方向に回転する中心体２０２とともに回転しながら自身が鉛直方向に回転するため、図１１の（ａ）および（ｄ）のように、球状の回転体の表面に縦方向の軌跡を表わすことが可能になる。
【００６５】
中心制御部２０７及び付随制御部３０７は、制御回路を有したものをいう。第１の実施形態では、ＩＣチップを組み込んだ基板のことをいうが、ＣＰＵ等を用いてもよい。
【００６６】
中心制御部２０７は、中心モーター２０３の回転速度を制御するものとし、また、付随制御部３０７は、付随モーター３０３の回転速度を制御する構成とすることも可能である。
【００６７】
中心モーター２０３及び付随モーター３０３は、電源部４０１から動力の供給を受け、接続する軸に回転運動を加えるものをいう。中心モーター２０３及び付随モーター３０３は外部からの制御を受け、回転運動の速度を変更可能なものとしてもよい。
【００６８】
第１の実施形態において、中心制御部２０７は、中心モーター２０３の回転速度を制御し、付随制御部３０７は、発光条件として、発光体３０５の点滅のタイミング、点滅速度を制御し、付随モーター３０３の回転速度は制御しない。ただし、その他の実施形態において、発光条件は、発光体３０５の点滅のタイミング、点滅速度および点滅色の少なくとも１つとすることも可能である。
【００６９】
図１１の（ｂ）及び（ｃ）は、中心制御部２０７及び付随制御部３０７の制御を受けたときの発光玩具１００の発光の様子を表したものである。図１１の（ｂ）は、付随制御部３０７が付随体３０２の有する発光体３０５ａ、発光体３０５ｂ及び発光体３０５ｃを点滅させた場合の軌跡である。
【００７０】
図１１の（ｃ）は、図１１の（ｂ）の場合よりも、付随制御部３０７が付随体３０２の有する発光体３０５ａ、発光体３０５ｂ及び発光体３０５ｃの点灯時間を延ばし、更に、各発光体３０５の点灯開始時刻をずらした場合の軌跡を示している。
【００７１】
中心モーター２０３は、更に、電源部４０１と接続する導線を備え、第１の実施形態では、導線は、中心体２０２の内部に設けられている。
【００７２】
これは、中心体２０２が回転する際に、導線を巻き込むことを防止するためであるが、導線の敷設箇所を考慮すれば、中心体２０２の外部に設けるものとしてもよい。
【００７３】
また、第１の実施形態では、付随モーター３０３は、更に、中心モーター２０３と接続する導線を備え、該中心モーター２０３を介して電源部４０１から電力の供給を受ける構成をし、更に、付随モーター３０３が有する導線は、中心体２０２及び付随体３０２の内部に設けられる構成としている。が、中心モーター２０３を介さずに直接電源部４０１と接続する構成をとることも可能である。
【００７４】
[第２の実施形態]
本発明に係る発光玩具１００の第２の実施形態の中心体２０２及び付随体の形状について、図１２を用いて説明する。
【００７５】
図１２は、第２の実施形態の発光玩具１００の中心体２０２、付随体３０２及び付随体９０２の構造を模式的に表した図である。
【００７６】
第２の実施形態において、発光玩具１００の回転部分は、中心体２０２と付随体３０２と付随体９０２とから構成される。第２の実施形態では、中心体２０２、付随体３０２及び付随体９０２は中空状の円形である。
【００７７】
図１２において、破線は中心体２０２、付随体３０２及び付随体９０２の回転運動の中心となる軸を模式的に表記したものである。
【００７８】
中心体２０２は軸２００を中心に回転する。付随体３０２は中心体２０２の中空内に配置され、軸３００を中心に回転する。
【００７９】
また、付随体９０２は、付随体３０２の中空内に配置され、軸９００を中心に回転する。
【００８０】
第２の実施形態において、軸３００は軸２００に対して略垂直に交差し、軸９００は軸３００に対して約４５°傾いて交差する。
【００８１】
また、第２の実施形態において、中心体２０２は発光体２０５ａ、発光体２０５ｂ、発光体２０５ｃ及び発光体２０５ｄを備え、付随体３０２は発光体３０５ａ、発光体３０５ｂ、発光体３０５ｃ及び発光体３０５ｄを備え、更に付随体９０２は発光体９０５ａ、発光体９０５ｂ、発光体９０５ｃ及び発光体９０５ｄを備える。
【００８２】
第２の実施形態において発光体２０５ａ、発光体２０５ｂ、発光体２０５ｃ、発光体２０５ｄ、発光体３０５ａ、発光体３０５ｂ、発光体３０５ｃ、発光体３０５ｄ、発光体９０５ａ、発光体９０５ｂ、発光体９０５ｃ及び発光体９０５ｄは３色発光ダイオードを用いている。
【００８３】
３色発光ダイオードとは、光の三原色である赤色・緑色・青色の発光ダイオードのチップを有することで、発光色を自由に変更可能な発光ダイオードのことをいう。
【００８４】
また、第２の実施形態においては、中心制御部２０７（図１２においては図示を省略）は中心モーター２０３（図１２においては図示を省略）の回転速度と、発光体２０５ａ、発光体２０５ｂ、発光体２０５ｃ、発光体２０５ｄ、発光体３０５ａ、発光体３０５ｂ、発光体３０５ｃ、発光体３０５ｄ、発光体９０５ａ、発光体９０５ｂ、発光体９０５ｃ及び発光体９０５ｄの発光条件とを制御する。
【００８５】
第２の実施形態において、発光条件は、点滅の速度、点滅のタイミング及び点滅色のことをいう。
【００８６】
その他の構成及び機能については、第１の実施形態と同様である。ただし、第２の実施形態においては、ケース部１０１の上部にパンダのマスコットは配置されない。
【００８７】
[第３の実施形態]
本発明に係る発光玩具１００の第３の実施形態の中心体２０２及び付随体の形状について、図１３を用いて説明する。
【００８８】
図１３は、第３の実施形態の発明玩具の中心体２０２、付随体３０２及び付随体９０２の構造を模式的に表した図である。
【００８９】
第３の実施形態において、発光玩具１００の回転部分は、１つの中心体２０２と付随体３０２と付随体９０２とから構成される。第３の実施形態では、中心体２０２、付随体３０２及び付随体９０２は中空状の円形である。
【００９０】
図１３において、破線は中心体２０２、付随体３０２及び付随体９０２の回転運動の中心となる軸を模式的に表記したものである。
【００９１】
中心体２０２は軸２００を中心に回転する。付随体３０２は中心体２０２外の周上に配置され、軸３００を中心に回転する。
【００９２】
また、付随体９０２も、中心体２０２の外周上に配置され、軸９００を中心に回転する。
【００９３】
第３の実施形態において、軸３００及び軸９００は軸２００に対して約３０°傾いて交差する。
【００９４】
また、第３の実施形態において、中心体２０２は発光体２０５ａ、発光体２０５ｂ、発光体２０５ｃ及び発光体２０５ｄを備え、付随体３０２は発光体３０５ａ、発光体３０５ｂ、発光体３０５ｃ及び発光体３０５ｄを備え、更に付随体９０２は発光体９０５ａ、発光体９０５ｂ、発光体９０５ｃ及び発光体９０５ｄを備える。
【００９５】
第３の実施形態において発光体２０５ａ、発光体２０５ｂ、発光体２０５ｃ及び発光体２０５ｄは３色発光ダイオード、発光体３０５ａ、発光体３０５ｂ、発光体３０５ｃ及び発光体３０５ｄは赤色発光ダイオード、発光体９０５ａ、発光体９０５ｂ、発光体９０５ｃ及び発光体９０５ｄは赤色発光ダイオードを用いている。
【００９６】
また、第３の実施形態においては、中心制御部２０７（図１３においては図示を省略）は中心モーター２０３（図１３においては図示を省略）の回転速度と、発光体２０５ａ、発光体２０５ｂ、発光体２０５ｃ、発光体２０５ｄ、発光体３０５ａ、発光体３０５ｂ、発光体３０５ｃ、発光体３０５ｄ、発光体９０５ａ、発光体９０５ｂ、発光体９０５ｃ及び発光体９０５ｄの発光条件とを制御する。
【００９７】
第３の実施形態において、発光条件は、点滅の速度のことをいう。
【００９８】
その他の構成及び機能については、第１の実施形態と同様である。
【００９９】
[第４の実施形態]
本発明に係る発光玩具１００の第３の実施形態の中心体２０２及び付随体の形状について、図１４を用いて説明する。
【０１００】
図１４は、第４の実施形態の発明玩具の中心体２０２、付随体３０２、付随体９１２、付随体９２２、付随体９３２及び付随体９４２の構造を模式的に表した図である。
【０１０１】
第４の実施形態において、発光玩具１００の回転部分は、１つの中心体２０２と付随体３０２と付随体９１２と付随体９１３と付随体９１４とから構成される。
【０１０２】
第４の実施形態では、中心体２０２は略長方形の板である。また、付随体３０２、付随体９１２、付随体９１３及び付随体９１４は略十字型の板である。
【０１０３】
図１４において、破線は中心体２０２、付随体３０２、付随体９１２、付随体９１３及び付随体９１４の回転運動の中心となる軸を模式的に表記したものである。
【０１０４】
中心体２０２は軸２００を中心に回転する。付随体３０２は中心体２０２外の周上に配置され、軸３００を中心に回転する。付随体９１１、付随体９１２、付随体９１３及び付随体９１４は、略十字型である付随体３０２の各端部に配置され、それぞれ軸９１０、軸９２０、軸９３０及び軸９４０を回転運動の中心とする。
【０１０５】
第４の実施形態において、軸３００は軸２００と略垂直に交差する。また、軸９１０、軸９２０、軸９３０及び軸９４０は軸２００と略垂直に交差する。
【０１０６】
また、第４の実施形態において、付随体９１２は発光体９１５ａ、発光体９１５ｂ、発光体９１５ｃ及び発光体９１５ｄを備え、付随体９２２は発光体９２５ａ、発光体９２５ｂ、発光体９２５ｃ及び発光体９２５ｄを備え、付随体９３２は発光体９３５ａ、発光体９３５ｂ、発光体９３５ｃ及び発光体９３５ｄを備え、更に付随体９４２は発光体９４５ａ、発光体９４５ｂ、発光体９４５ｃ及び発光体９４５ｄを備える。
【０１０７】
第４の実施形態において発光体９１５ａ、発光体９１５ｂ、発光体９１５ｃ、発光体９１５ｄ、発光体９２５ａ、発光体９２５ｂ、発光体９２５ｃ、発光体９２５ｄ、発光体９３５ａ、発光体９３５ｂ、発光体９３５ｃ、発光体９３５ｄ、発光体９４５ａ、発光体９４５ｂ、発光体９４５ｃ及び発光体９４５ｄは３色発光ダイオードを用いている。
【０１０８】
また、第４の実施形態においては、中心制御部２０７（図１４においては図示を省略）は発光体９１５ａ、発光体９１５ｂ、発光体９１５ｃ、発光体０１５ｄ、発光体９２５ａ、発光体９２５ｂ、発光体９２５ｃ、発光体９２５ｄ、発光体９３５ａ、発光体９３５ｂ、発光体９３５ｃ、発光体９３５ｄ、発光体９４５ａ、発光体９４５ｂ、発光体９４５ｃ及び発光体９４５ｄの発光条件を制御する。
【０１０９】
第４の実施形態において、発光条件は、点滅のタイミングのことをいう。
【０１１０】
その他の構成及び機能については、第１の実施形態と同様である。
【０１１１】
なお、中心制御部２０７にプログラムをインストールすることで、中心体２０２及び付随体３０２の回転速度と連動して、発光体９１５ａ、発光体９１５ｂ、発光体９１５ｃ、発光体９１５ｄ、発光体９２５ａ、発光体９２５ｂ、発光体９２５ｃ、発光体９２５ｄ、発光体９３５ａ、発光体９３５ｂ、発光体９３５ｃ、発光体９３５ｄ、発光体９４５ａ、発光体９４５ｂ、発光体９４５ｃ及び発光体９４５ｄの発光条件を自動で生業することができる。これによって、絵や文字を浮き上がらせることが可能となる。
【０１１２】
本発明に係る、複数の発光体を発光させる発光玩具は、透過性を有したケース部と、ケース部の下端に設けられ、手でつかむための保持部と、保持部の内部に設けられ、発光玩具に動力を供給する電源部と、電源部と接続し、保持部の内部に設けられる中心モーターと、中心モーターに接続し、該中心モーターによって回転する中心軸と、中心軸の上端に接続し、ケース部の内部に設けられる中心体と、中心体の内部に設けられ、発光体の発光条件を制御する中心制御部と、中心体に設けられ、電源部から動力の供給を受ける付随モーターと、付随モーターと接続し、付随モーターによって回転する付随軸と、付随軸と接続し、発光体を有する付随体とを備える際には、発光体が、中心体及び付随体の回転運動に付随して運動することによって、発光体の光の軌跡が、規則性を有した複雑な幾何学模様を描写可能になる。
【０１１３】
また、付随軸は、中心軸に対して略垂直方向に設けられる際においては、
付随体が備える発光体が発光する光によって、中心体の回転運動によって描かれる回転体に対して該回転体の回転方向と垂直方向の軌跡を描くことが可能になる。
【０１１４】
また、発光条件が、発光体の点滅のタイミング、点滅速度および点滅色の少なくとも１つである際においては、光の軌跡によって描かれる幾何学模様のパターン数を大幅に増加させることが可能になる。
【０１１５】
また、中心制御部が、中心モーターの回転速度を制御する際においては、中心体の回転速度を制御することが可能である。
【０１１６】
さらに、付随制御部が、付随モーターの回転速度を制御する際においては、付随体の回転速度を制御することが可能である。
【０１１７】
また、中心モーターは、更に電源部と接続する導線を備え、導線は、中心体の内部に設けられる際においては、該導線が中心体の回転によって巻き込まれることを防止することができる。
【０１１８】
また、付随モーターは、更に、中心モーターと接続する導線を備え、該中心モーターを介して電源部から電力の供給を受け、導線は、中心体及び書いて付随体の内部に設けられる際においては、該導線が、中心体及び付随体の回転によって巻き込まれることを防止することができる。
【符号の説明】
【０１１９】
１００            発光玩具
１０１            ケース部
１０１ａ            ケース部
１０１ｂ            ケース部
２００            軸
２０１            中心軸
２０２            中心体
２０３            中心モーター
２０５            発光体
２０５ａ            発光体
２０５ｂ            発光体
２０５ｃ            発光体
２０５ｄ            発光体
２０７            中心制御部
２１１            金具
２１２            金具
２１３            金具
２１４            金具
３００            軸
３０１            付随軸
３０２            付随体
３０３            付随モーター
３０５            発光体
３０５ａ            発光体
３０５ｂ            発光体
３０５ｃ            発光体
３０５ｄ            発光体
３０７            付随制御部
４０１            電源部
４０２            電源カバー
５０１            保持部
５０１ａ            保持部
５０１ｂ            保持部
５１２            金具
５１３            金具
５１４            金具
５１５            金具
５１６            金具
５１７            金具
５１８            金具
５１９            金具
５５１            ネジ
５５２            ネジ
５５３            ネジ
５７０            ストラップ
５９０            スイッチ
９００            軸
９０２            付随体
９０５            発光体
９０５ａ            発光体
９０５ｂ            発光体
９０５ｃ            発光体
９０５ｄ            発光体
９１０            軸
９１２            付随体
９１５            発光体
９１５ａ            発光体
９１５ｂ            発光体
９１５ｃ            発光体
９１５ｄ            発光体
９２０            軸
９２２            付随体
９２５            発光体
９２５ａ            発光体
９２５ｂ            発光体
９２５ｃ            発光体
９２５ｄ            発光体
９３０            軸
９３２            付随体
９３５            発光体
９３５ａ            発光体
９３５ｂ            発光体
９３５ｃ            発光体
９３５ｄ            発光体
９４０            軸
９４２            付随体
９４５            発光体
９４５ａ            発光体
９４５ｂ            発光体
９４５ｃ            発光体
９４５ｄ            発光体
【要約】      （修正有）【課題】携複数の回転軸をもつことによって、複数方向の回転運動をし、さらに回転運動に付随して発光することで、発光体の光の軌跡によって規則性を有した幾何学模様を描写可能な発光玩具を提供する。【解決手段】中心モーターと、中心モーターに接続し、該中心モーターによって回転する中心軸と、中心軸の上端に接続し、ケース部１０１の内部に設けられる中心体２０２と、中心体２０２の内部に設けられ、発光体３０５ｂ・３０５ｃの発光条件を制御する中心制御部と、中心体２０２に設けられ、電源部から動力の供給を受ける付随モーターと、付随モーターと接続し、付随モーターによって回転する付随軸と、付随軸と接続し、発光体３０５ｂ・３０５ｃを有する付随体とを備える。【選択図】図８【図１】
0005254478.tif 000002
【図２】
0005254478.tif 000003
【図３】
0005254478.tif 000004
【図４】
0005254478.tif 000005
【図５】
0005254478.tif 000006
【図６】
0005254478.tif 000007
【図７】
0005254478.tif 000008
【図８】
0005254478.tif 000009
【図９】
0005254478.tif 000010
【図１０】
0005254478.tif 000011
【図１１】
0005254478.tif 000012
【図１２】
0005254478.tif 000013
【図１３】
0005254478.tif 000014
【図１４】
0005254478.tif 000015